(57)【特許請求の範囲】
【請求項１】
インタレース型プラズマ表示パネル（ＰＤＰ）を駆動する装置であって、
画像信号を受け取り、複数のフィールドに対して前記画像信号を遅延させ、前記遅延させた画像信号を出力する遅延素子であり、前記遅延装置の作用が更に前記画像信号の偶数フィールドの奇数走査線と奇数フィールドの偶数走査線に、値ゼロの画像データを充填することを含む遅延素子と、
前記画像信号を受け取って解析し、前記画像信号の上下縁の位置を出力し、前記画像信号の奇数フィールド上下縁データを保存して提供する画像上下縁検出素子と、
前記遅延させた画像信号、前記上下縁位置、および前記奇数フィールド上下縁データに従って境界処理した後、前記画像信号を出力する画像境界処理素子と、
境界処理後の前記画像信号と前記上下縁位置に従って、駆動信号を出力し、前記境界処理は、画像の上縁と下縁の走査線の画像データを２で割り、割った画像データを偶数フィールドと奇数フィールドに二度出力することを含む画像処理アナログ制御ループを有する装置。
【請求項２】
前記画像上下縁位置が、前記画像信号の走査線上縁位置、上縁フィールド位置、走査線下縁位置、および下縁フィールド位置を含む請求項１記載のインタレース型ＰＤＰを駆動する装置。
【請求項３】
前記画像上下縁検出素子がさらに、
前記画像信号を受け取り、前記画像信号内の走査線の画像信号に基づいて、決定信号を出力する走査線決定素子と、
前記決定信号に従って、前記画像信号の仮上縁位置を出力する上縁検出素子と、
前記決定信号に従って、前記画像信号の仮下縁位置を出力する下縁検出素子と、
奇数フィールドと偶数フィールドの前記画像信号の前記仮上縁位置を比較し、より低いものを出力用の前記走査線上縁位置として取り、前記上縁フィールド位置を出力する上縁比較素子と、
奇数フィールドと偶数フィールドの前記画像信号の前記仮下縁位置を比較し、より高いものを出力用の前記走査線下縁位置として取り、前記下縁フィールド位置を出力する下縁比較素子と、
前記画像信号と前記画像上下縁位置を受け取り、前記画像信号の前記奇数フィールド上下縁データを保存して提供する奇数フィールド上下縁記憶素子とを有する請求項２記載のインタレース型ＰＤＰを駆動する装置。
【請求項４】
前記仮上縁位置が画像信号を備え、現在フィールドの上縁に最も近い走査線の位置であり、前記仮下縁位置が画像信号を備え、現在フィールドの下縁に最も近い走査線の位置である請求項３記載のインタレース型ＰＤＰを駆動する装置。
【請求項５】
前記走査線の任意の色信号の任意の画像データが所定の値より大きい場合に、前記走査線の一つが画像信号を備えていると、前記走査線決定素子が決定する請求項３記載のインタレース型ＰＤＰを駆動する装置。
【請求項６】
前記走査線の色信号の画像データ合計が所定の値より大きい場合に、走査線が画像信号を備えていると、前記走査線決定素子が決定する請求項３記載のインタレース型ＰＤＰを駆動する装置。
【請求項７】
前記走査線が条件：Ａ１＊合計（Ｒ）＋Ａ２＊合計（Ｇ）＋Ａ３＊合計（Ｂ）＞Ｔを満たす場合、前記走査線の一つが画像信号を備えていると、前記走査線決定素子が決定し、ここでＡ１、Ａ２およびＡ３が所定の重みであり、合計（Ｒ）、合計（Ｇ）および合計（Ｂ）各々が、前記走査線の赤色信号、緑色信号および青色信号の画像データ合計を表し、Ｔが所定の値である請求項３記載のインタレース型ＰＤＰを駆動する装置。
【請求項８】
前記画像境界処理素子の境界処理で、
前記走査線の一つの番号が前記走査線上縁位置より小さい場合に、所定の値の階調レベルを出力し、
前記走査線の一つの番号が前記走査線下縁位置より大きい場合に、所定の値の階調レベルを出力し、
前記走査線の一つの画像データを２で割り、前記走査線の番号が前記走査線上縁位置と前記走査線下縁位置の一方と等しく、前記走査線が偶数フィールドにあり、現在フレームが偶数フィールドにある場合、前記割ったデータを保存して出力し、前記走査線番号が前記走査線上縁位置または前記走査線下縁位置と等しく、前記走査線が偶数フィールドにあり、現在フィールドが奇数フィールドにある場合、前記走査線の事前に保存して割った画像データを出力し、
前記走査線の一つの番号が前記走査線上縁位置または前記走査線下縁位置と等しく、前記走査線が奇数フィールドにある場合、対応する奇数フィールド上下縁データを出力し、  前記走査線の番号が前記走査線上縁位置より大きく、前記走査線下縁位置より小さい場合に、前記走査線の一つの画像信号を直接出力する請求項２記載のインタレース型ＰＤＰを駆動する装置。
【請求項９】
さらに、
前記遅延素子と前記画像境界処理素子の間に接続した輝度調整素子を有する請求項１記載のインタレース型ＰＤＰを駆動する装置。
【請求項１０】
インタレース型プラズマ表示パネル（ＰＤＰ）を駆動する方法であって、
画像信号を解析して、画像の上縁と下縁に走査線を配置し、
前記画像信号の偶数フィールドの奇数走査線と奇数フィールドの偶数走査線に、値ゼロの画像データを充填し、
前記走査線の画像データを２で割り、偶数フィールドと奇数フィールドの両方に、前記割った画像データを二度出力する方法。
【請求項１１】
さらに、
前記画像信号を受け取り、複数のフィールドに対して前記画像信号を遅延して、前記遅延した画像信号を提供し、
前記画像信号を解析し、前記画像信号の上下縁位置を提供し、
前記画像上下縁位置に従って、前記画像信号の奇数フィールド上下縁データを提供し、  前記遅延した画像信号、前記画像上下縁位置、および前記奇数フィールド上下縁データに従って、境界処理後の前記画像信号を提供し、
境界処理後の前記画像信号と前記画像上下縁位置に従って、駆動信号を提供する請求項１０記載のインタレース型ＰＤＰを駆動する方法。
【請求項１２】
前記画像上下縁位置が、走査線上縁位置、上縁フィールド位置、走査線下縁位置、および下縁フィールド位置を含む請求項１１記載のインタレース型ＰＤＰを駆動する方法。
【請求項１３】
前記画像信号の前記画像上下縁位置を提供するステップでさらに、
前記画像信号を受け取り、各走査線の画像信号に従って決定信号を提供し、
前記決定信号に従って前記画像信号の仮上縁の位置を提供し、
前記決定信号に従って前記画像信号の仮下縁位置を提供し、
奇数フィールドと偶数フィールドの両方で、前記画像信号の前記二つの仮上縁位置を比較し、より低いものを前記走査線上縁位置として取り、前記上縁フィールド位置を提供し、
奇数フィールドと偶数フィールドの両方で、前記画像信号の前記二つの仮下縁位置を比較し、より高いものを前記走査線下縁位置として取り、前記下縁フィールド位置を提供する請求項１２記載のインタレース型ＰＤＰを駆動する方法。
【請求項１４】
前記仮上縁位置が画像信号を備え、現在フィールドの上縁に最も近い走査線の位置であり、前記仮下縁位置が画像信号を備え、現在フィールドの下縁に最も近い走査線の位置である請求項１２記載のインタレース型ＰＤＰを駆動する方法。
【請求項１５】
前記決定信号を提供するステップで、前記走査線の色信号の画像データが所定の値より大きい場合に、前記走査線の一つが画像信号を備えていると決定する請求項１３記載のインタレース型ＰＤＰを駆動する方法。
【請求項１６】
前記決定信号を提供するステップで、前記走査線の色信号の画像データ合計が所定の値より大きい場合に、前記走査線の一つが画像信号を備えていると決定する請求項１４記載のインタレース型ＰＤＰを駆動する方法。
【請求項１７】
前記決定信号を提供するステップで、前記走査線が条件：Ａ１＊合計（Ｒ）＋Ａ２＊合計（Ｇ）＋Ａ３＊合計（Ｂ）＞Ｔを満たす場合に、前記走査線の一つが画像信号を備えていると決定し、ここでＡ１、Ａ２およびＡ３が所定の重みであり、合計（Ｒ）、合計（Ｇ）および合計（Ｂ）が各々、前記走査線の赤色信号、緑色信号および青色信号の画像データ合計を表し、Ｔが所定の値である請求項１５記載のインタレース型ＰＤＰを駆動する方法。
【請求項１８】
境界処理後の前記画像信号を提供するステップでさらに、
走査線の番号が前記走査線上縁位置より小さいか、または前記走査線下縁位置より大きい場合に、所定の値の階調レベルを出力し、
前記走査線の番号が前記走査線上縁位置と前記走査線下縁位置の一方と等しく、前記走査線が偶数フィールドにあり、現在フレームが偶数フィールドにある場合、前記走査線の画像データを２で割り、走査線の番号が前記走査線上縁位置または前記走査線下縁位置と等しく、前記走査線が偶数フィールドにあり、現在フレームが奇数フィールドにある場合、前記走査線の事前に保存して既に割っている画像データを出力し、
前記走査線の番号が、前記走査線上縁位置と前記走査線下縁位置の一方と等しく、前記走査線が奇数フィールドにある場合、対応する奇数フィールド上下縁データを出力し、
前記走査線の番号が前記走査線上縁位置より大きく、前記走査線下縁位置より小さい場合に、前記走査線の画像信号を直接出力する請求項１３記載のインタレース型ＰＤＰを駆動する方法。
【請求項１９】
前記画像信号を遅延し、前記画像信号を解析する間に、前記画像信号の階調レベルと人間の目によって認識される明るさの比率の間の関係に従って、前記画像信号を調整する請求項１０記載のインタレース型ＰＤＰを駆動する方法。
【発明の詳細な説明】
【技術分野】
【０００１】
この発明は、インタレース型プラズマ表示パネル（ＰＤＰ）を駆動する装置および方法に関する。より詳細には、画像の上縁と下縁でのフリッカを低減可能なインタレース型ＰＤＰを駆動する装置および方法に関する。
【背景技術】
【０００２】
一般に、インタレース型プラズマ表示パネル（ＰＤＰ）の画像を表示する時間は、偶数フィールドと奇数フィールドに分割できる。偶数フィールドは偶数の走査線の画像信号を表示し、奇数フィールドは奇数の走査線の画像信号を表示する。偶数フィールドと奇数フィールドは、交互に表示される。
【０００３】
図１を参照すると、既存のＰＤＰにおける偶数フィールド信号のタイミング図が示されている。ここで、走査０、走査２および走査４は、各々走査線０、２および４に対応する走査側駆動部からの走査信号である。走査ｉは奇数走査線の走査信号を示し、走査ｊは偶数走査線の走査信号を示している。共通は、共通側駆動部からの共通信号を示している。データは、データ側駆動部からのデータ信号を示している。図１の時間軸は、四つの垂直の破線で三つの期間、つまりリセット期間１０１、アドレス期間１０２および維持放電期間１０３に各々分割されている。図１に示したように、アドレス期間１０２は偶数フィールドであるので、走査パルスは偶数走査線の走査信号のみに現れる。従って、偶数走査線は点灯し、奇数走査線は点灯しない。
【０００４】
図２は、既存のＰＤＰの奇数フィールド信号のタイミング図である。図２のアドレス期間２０２は奇数フィールドであるので、走査パルスは奇数走査線の走査信号のみに現れる。従って、奇数走査線は点灯し、偶数の走査線は点灯しない。
【０００５】
既存のインタレース型駆動モードでは、奇数の走査線と偶数の走査線を交互に表示するので、画像の上縁と下縁でフリッカが生じ、視覚効果に影響を与える。ここで、図３を参照する。ＰＤＰは０〜７１９と印された７２０本の走査線を有すると仮定すると、最初の走査線３０４（番号０）は偶数フィールドのみで点灯し、最後の走査線３０３（番号７１９）は奇数フィールドのみで点灯する。その結果、偶数フィールドの画像３０１と奇数フィールドの画像３０２が交互に表示され、人間の目にはフリッカが検出される。
【０００６】
米国特許番号第６，１６９，５２７号では、表示領域の最上部と最下部に黒の不透明な遮光部を追加して、インタレース型駆動モードにおけるフリッカを防ぐ方法が紹介されている。しかし、例えば、一般的な１６：９の画像を４：３の表示装置で表示する際など、画像の上縁と下縁がパネルの上縁と下縁でない場合はフリッカが残る。
【０００７】
従って、画像の上縁と下縁がパネルの上縁と下縁でない場合でも、前記フリッカを防ぐことができるよりよい方法が望まれている。
【発明の開示】
【発明が解決しようとする課題】
【０００８】
この発明の目的は、画像の上縁と下縁でのフリッカを防止可能なインタレース型プラズマ表示パネル（ＰＤＰ）を駆動する装置を提供することである。
【０００９】
この発明の別の目的は、画像の上縁と下縁でのフリッカを防止可能なインタレース型プラズマ表示パネル（ＰＤＰ）を駆動する方法を提供することであり、前記画像の上縁と下縁はパネルの上縁と下縁とは異なる。
【課題を解決するための手段】
【００１０】
上記の目的および他の目的を実現するために、この発明はインタレース型ＰＤＰを駆動する装置を提供し、前記装置は遅延素子、画像上下縁検出素子、画像境界処理素子および画像処理アナログ制御ループを有する。遅延素子は画像信号を受け取り、受け取った画像信号を二つのフィールドに遅延し、遅延した画像信号を出力する。画像上下縁検出素子は、画像信号を受け取って解析し、画像信号の上縁と下縁の位置を出力し、画像信号の奇数フィールドの上縁と下縁のデータを保存して提供する。画像境界処理素子は、遅延した画像信号、画像信号の上縁と下縁の位置、および奇数フィールド上下縁データに従って境界処理を行った後、画像信号を出力する。画像処理アナログ制御ループは、境界処理後の画像信号、および画像信号の上縁と下縁の位置に従って、駆動信号を出力する。
【００１１】
一実施例におけるインタレース型ＰＤＰを駆動する上記の装置では、画像信号の上縁と下縁の位置は、上縁の走査線位置、上縁のフィールド位置、下縁の走査線位置、および下縁のフィールド位置を含む。
【００１２】
一実施例におけるインタレース型ＰＤＰを駆動する上記の装置では、前記画像上下縁検出素子はさらに、走査線決定素子、上縁検出素子、下縁検出素子、上縁比較素子、下縁比較素子、および奇数フィールド上下縁記憶素子を有する。走査線決定素子は画像信号を受け取り、各走査線に対して画像信号の有無を判断し、決定信号を出力する。上縁検出素子は、決定信号に従って仮上縁位置を出力する。下縁検出素子は、決定信号に従って仮下縁位置を出力する。上縁比較素子は奇数フィールドと偶数フィールドにおける画像信号の二つの仮上縁位置を比較し、より低い仮上縁位置を上縁の走査線位置として出力し、上縁のフィールド位置を出力する。下縁比較素子は、奇数フィールドと偶数フィールドにおける画像信号の二つの仮下縁位置を比較し、より高い仮下縁位置を下縁の走査線位置として出力し、下縁のフィールド位置を出力する。奇数フィールド上下縁記憶素子は、前記画像信号、および画像の前記上縁と下縁位置を受け取り、画像信号の奇数フィールド上下縁データを保存して提供する。
【００１３】
一実施例におけるインタレース型ＰＤＰを駆動する上記の装置では、画像境界処理素子の詳しい動作は次のとおりである。走査線番号が上縁の走査線位置を表す数より小さい、または下縁の走査線位置を表す数より大きい場合、画像境界処理素子は所定の階調値を出力する。走査線番号が上縁の走査線位置を表す数、または下縁の走査線位置を表す数のいずれかと等しく、走査線が偶数フィールドに配置され、現在フレームが偶数フィールドである場合、素子はデータを２で割った後、走査線の画像データを保存して出力する。走査線番号が上縁の走査線位置を表す数、または下縁の走査線位置を表す数のいずれかと等しく、走査線が偶数フィールドに配置され、現在フレームが奇数フィールドである場合、素子は２で割った走査線の既に保存されている画像データを出力する。走査線番号が上縁の走査線位置を表す数、または下縁の走査線位置を表す数のいずれかと等しく、走査線が奇数フィールドに配置される場合、素子は奇数フィールドの上縁と下縁の対応するデータを出力する。最後に、走査線番号が上縁の走査線位置を表す数より大きく、下縁の走査線位置を表す数より小さい場合は、素子は処理なしで走査線の画像信号を直接出力する。
【００１４】
一実施例では、インタレース型ＰＤＰを駆動する上記の装置はさらに輝度調整素子を有し、前記輝度調整素子は遅延素子と画像境界処理素子の間に接続する。輝度調整素子は、画像信号の階調および人間の目で認識される明るさの比率の間の関係に従って、画像を調整する。
【００１５】
別の観点では、この発明は、インタレース型ＰＤＰを駆動する方法も提供する。この方法は、次のステップを有する。まず、画像信号を解析し、画像の上縁と下縁の走査線を見つける。次に、前記走査線の画像データを２で割り、割った画像データを偶数フィールドと奇数フィールドの両方で二度出力する。
【００１６】
一実施例では、インタレース型ＰＤＰを駆動する上記の方法は、さらに次のステップを有する。まず、上記の画像信号を受け取る。画像信号を２フィールド遅延した後、遅延した画像信号を提供する。次に、画像信号を解析し、前記画像信号の画像の上縁と下縁の位置を提供する。その後、画像の上縁と下縁の位置に従って、奇数フィールド上下縁データを提供し、遅延した画像信号、画像の上縁と下縁の位置、および奇数フィールド上下縁データに従って、境界処理後の画像信号を提供する。最後に、境界処理後の画像信号、および画像の上縁と下縁の位置に従って駆動信号を提供する。
【発明の効果】
【００１７】
この発明は主に、上記の画像上下縁検出素子を用いて、画像の上縁と下縁の位置を配置する。次に、画像境界処理素子が、偶数フィールドと奇数フィールドの両方で、画像の上縁と下縁の走査線を点灯する。従って、画像の上縁と下縁がパネルの上縁と下縁でない場合でも、インタレース走査によるフリッカを防ぐことができる。
【発明を実施するための最良の形態】
【００１８】
図４を参照すると、この発明の一実施例の概略図が示されている。この実施例のＰＤＰは７２０本の走査線を有し、走査線番号は０〜７１９であると仮定する。画像の上縁は、走査線番号０である。走査線０の画像信号はｎと仮定する。画像の下縁は、走査線番号７１９である。走査線７１９の画像信号はｍと仮定する。図４の左側は既存の技術であり、上縁の走査線０は偶数フィールドのみで表示され、下縁の走査線７１９は奇数フィールドのみで表示される。一方、図４の右側はこの実施例である。実施例では、画像の上縁と下縁の走査線の画像データを２で割り、割った画像データを偶数フィールドと奇数フィールドで二度出力する。図４の右側に示したように、走査線０を２で割った画像データ、つまりｎ／２は、偶数フィールドと奇数フィールドの両方で表示される。同様に、走査線７１９を２で割った画像データ、つまりｍ／２も、偶数フィールドと奇数フィールドの両方で表示される。従って、画像の上縁と下縁の走査線は、偶数フィールドと奇数フィールドの両方で見ることができる。その結果、上縁と下縁でのフリッカを防ぐことができる。上縁と下縁の画像データは既に２で割られているので、画像データが二度表示されても、全体の明るさは変わらないままである。
【００１９】
図５は、この発明の一実施例の偶数フィールド信号の信号タイミング図であり、ここで５０１、５０２および５０３は各々リセット期間、アドレス期間および維持期間である。走査０から走査７１９は、走査線０から走査線７１９上の走査信号である。「共通」は、共通側駆動部からの共通信号である。「データ」は、データ側駆動部からのデータ信号である。図５に示したように、偶数フィールドでは全ての偶数走査線が点灯し、奇数走査線は走査線７１９のみが点灯し、他の奇数走査線は点灯しない。一方、図６は、この発明の一実施例の奇数フィールド信号の信号タイミング図であり、ここで６０１、６０２および６０３は各々リセット期間、アドレス期間および維持期間である。他のタグは、図５の対応する部分と同じ意味を有する。図６は図５とは逆に、奇数フィールドでは全ての奇数走査線が点灯し、偶数走査線では走査線０のみが点灯し、他の偶数走査線は点灯しない。いずれにしても、走査線０と走査線７１９は偶数フィールドと奇数フィールドの両方で点灯し、他の走査線は変わらないままである。
【００２０】
画像の上縁と下縁がパネルの上縁と下縁ではない場合、上記の処理の画像の上縁と下縁に走査線を配置するために、図７の回路が必要とされる。画像の上縁と下縁を超える部分については、走査パルスは信号波形時間の保存用の出力ではない。
【００２１】
図７は、この発明によるインタレース型ＰＤＰを駆動する装置７００を示すブロック図である。インタレース型ＰＤＰを駆動する装置７００は、遅延素子７０１、輝度調整素子７０２、画像上下縁検出素子７０５、画像境界処理素子７０３、および画像処理アナログ制御ループ７０４を有する。
【００２２】
遅延素子７０１は画像信号７２０を受け取り、受け取った画像信号７２０を２フィールドだけ遅延し、遅延した画像信号７２１を出力する。画像の上縁と下縁を配置するために、画像上下縁検出素子７０５は２フィールドの画像信号を検出する必要があり、遅延素子７０１は画像境界処理素子７０３に提供する画像信号と、画像上下縁検出素子７０５からの出力を同期化する必要がある。実施例の遅延素子７０１の別の機能は、画像信号７２０の偶数フィールドの奇数走査線と奇数フィールドの偶数走査線に、値ゼロの画像データを充填することである。インタレース型走査によって、元の画像信号７２０は偶数フィールドには偶数走査線の画像データのみ、奇数フィールドには奇数走査線の画像データのみを有する。充填後は、画像信号７２０は、偶数フィールドと奇数フィールドの両方に全ての走査線のデータを有する。しかし、存在しない走査線の場合、画像データはゼロとなる。
【００２３】
輝度調整素子７０２は遅延素子７０１と画像境界処理素子７０３の間に接続し、画像信号７２０の階調と人間が認識した明るさの比率の関係に従って、遅延素子７０１の出力を調整し、元の画像データが表現する正確な明るさの比率を人間の目で認識できるようにする。この発明のいくつかの実施例では、輝度調整素子７０２の輝度調整機能を、画像処理アナログ制御ループ７０４と融合して処理することもできる。
【００２４】
画像上下縁検出素子７０５は画像信号７２０を解析し、画像信号７２０の上縁と下縁の位置７２５を出力する。さらに、素子７０５は、これ以降で詳しく説明するように、奇数フィールドの上下縁データ７２４を保存して提供する。
【００２５】
画像境界処理素子７０３は、遅延および輝度調整後の画像信号７２２、画像の上縁と下縁の位置７２５、および奇数フィールド上下縁データ７２４に従って、境界処理後の画像信号７２３を出力する。境界処理では、画像の上縁と下縁の走査線の画像データを２で割り、割った画像データを偶数フィールドと奇数フィールドに二度出力する。境界処理は、これ以降に詳しく説明する。
【００２６】
画像処理アナログ制御ループ７０４は、境界処理後の画像信号７２３、および画像の上縁と下縁の位置７２５に従って、走査側駆動部７０７、データ側駆動部７０６および共通側駆動部７０９に駆動信号７２６を出力する。これらの三つの駆動部は、図５と図６の様々な信号を生成し、駆動信号７２６に従ってＰＤＰ７０８を駆動する。
【００２７】
図８は、この発明の一実施例の画像上下縁検出素子７０５を示す構造ブロック図である。実施例の画像上下縁検出素子７０５は、走査線決定素子８０１、上縁検出素子８０２、下縁検出素子８０３、上縁比較素子８０４、下縁比較素子８０５、および奇数フィールド上下縁記憶素子８０６を有する。
【００２８】
走査線決定素子８０１は画像信号７２０を受け取り、走査線が画像信号を有するかどうかに基づいて、決定信号８２１を出力する。実施例では、決定信号８２１は１ビットの二進数であり、対応する走査線が画像信号を有するかどうかを示している。０は画像信号がないことを意味し、１は画像信号があることを意味する。なお、この発明は、上記の方法には限定されない。走査線が画像信号を有するかどうかを走査線決定素子８０１が判断する方法については、これ以降に詳しく説明する。
【００２９】
上縁検出素子８０２は、決定信号８２１に従って、画像信号７２０の仮上縁位置８２２を出力する。実施例では、仮上縁位置８２２は、画像信号がある最上部の走査線の番号である。ＰＤＰ７０８は７２０本の走査線を有するので、偶数フィールドと奇数フィールドには各々３６０本の走査線がある。従って、仮上縁位置８２２は、９ビットの二進数で表される。なお、この発明は、上記のパネル解像度にも、このような表現方法にも限定されない。同様に、下縁検出素子８０３は、決定信号８２１に従って、画像信号７２０の仮下縁位置８２３を出力する。実施例では、仮下縁位置８２３は、画像信号がある最下部の走査線の番号であり、９ビットの二進数で表される。なお、この発明は、上記の方法には限定されない。同様に、下縁検出素子８０３は、決定信号８２１に従って、画像信号７２０の仮下縁位置８２３を出力する。実施例では、仮下縁位置８２３は、画像信号がある最下部の走査線の番号であり、９ビットの二進数で表される。
【００３０】
上縁比較素子８０４は、奇数フィールドと偶数フィールドの画像信号７２０の二つの仮上縁位置８２２を比較し、より低い仮上縁位置を走査線上縁位置８２４として出力し、上縁フィールド位置８２５を出力する。走査線上縁位置８２４は両方のフィールドの実際の上縁位置であり、９ビットの二進数で表される。一方、実施例の上縁フィールド位置８２５は１ビットの二進数であり、画像の実際の上縁がどのフィールドに配置されるかを示している。ここで、０は偶数フィールドに配置されることを意味する。つまり、偶数フィールドの仮上縁位置８２２は、より低い位置を取る。１は、奇数フィールドに配置されることを意味する。つまり、奇数フィールドの仮上縁位置８２２は、より低い位置を取る。なお、この発明は、上記の方法には限定されない。同様に、下縁比較素子８０５は、奇数フィールドと偶数フィールドの両方で画像信号７２０の仮下縁位置８２３を比較し、より高い位置を走査線下縁位置８２６（９ビットの二進数で表される）として出力し、さらに下縁フィールド位置８２７（１ビットの二進数で表される）を出力する。
【００３１】
実施例では、上縁と下縁の位置７２５は実際には、四つの信号、つまり走査線上縁位置８２４、上縁フィールド位置８２５、走査線下縁位置８２６、および下縁フィールド位置８２７を有する。
【００３２】
奇数フィールド上下縁記憶素子８０６は、画像信号７２０と上下縁位置７２５を受け取り、画像の上縁と下縁が奇数フィールドに配置されているかどうかを決定する。上縁と下縁の少なくとも一方が奇数フィールドに配置されている場合、対応する走査線の画像データを２で割り、保存して出力する。前記画像データは、奇数フィールド上下縁データ７２４である。このような手順の理由は、次のように説明される。画像信号７２０の境界処理中、画像の上縁と下縁が奇数走査線、つまり奇数フィールドに配置されている場合、偶数フィールドの前記画像データを出力する前に、画像の上縁と下縁の走査線の画像データを出力する必要がある。従って、奇数フィールド上下縁データ７２４は、これ以降に詳しく説明するように予備用に保存しなければならない。
【００３３】
図８を参照すると、走査線が画像信号を有するかどうかを走査線決定素子８０１が判断する方法が示されている。この発明の範囲では、任意の適切で明確な決定方法を用いることができる。例えば、第一の決定方法では、走査線の任意の色信号（赤色信号、緑色信号または青色信号）の画像データが所定の値より大きい場合、その走査線は画像信号を備えた走査線として決定する。そうでない場合は、画像信号を備えていない走査線として決定する。
【００３４】
第二の決定方法では、例えば、走査線の合計（Ｒ）、合計（Ｇ）および合計（Ｂ）が所定の値より大きい場合、その走査線は画像信号を備えた走査線として決定する。そうでない場合は、画像信号を備えていない走査線として決定する。ここで、合計（Ｒ）、合計（Ｇ）、合計（Ｂ）は、各々走査線の赤色信号、緑色信号または青色信号の画像データ合計を表す。
【００３５】
第三の決定方法では、例えば、走査線の合計（Ｒ）、合計（Ｇ）および合計（Ｂ）の合計が所定の値より大きい場合、その走査線は画像信号を備えた走査線として決定する。そうでない場合は、画像信号を備えていない走査線として決定する。
【００３６】
第四の決定方法では、例えば、走査線が条件：Ａ１＊合計（Ｒ）＋Ａ２＊合計（Ｇ）＋Ａ３＊合計（Ｂ）＞Ｔを満たす場合、その走査線は画像信号を備えた走査線として決定する。そうでない場合は、画像信号を備えていない走査線として決定する。ここで、Ａ１、Ａ２およびＡ３は所定の重みであり、Ｔは上記の所定の値である。実は、第三の決定方法は、第四の決定方法の特別な場合である。Ａ１＝Ａ２＝Ａ３＝１であれば、第四の決定方法は第三の決定方法に当てはまる。
【００３７】
実施例の境界処理は、次のように詳しく説明される。図７の画像境界処理素子７０３は、各走査線の番号を、上縁と下縁の位置７２５の走査線上縁位置８２４と走査線下縁位置８２６と比較し、異なる状態に従って異なるようにデータを処理する。
【００３８】
現在の走査線番号が走査線上縁位置８２４より小さいか、走査線下縁位置８２６より大きい、つまり走査線が画像の上縁と下縁の外側にある場合、画像境界処理素子７０３は所定の階調レベルを出力する。実施例では、コントラストを増大させるために、階調レベルの所定の値は０とする。この発明の他の実施例では、焼き付きの影響を低減するために、階調レベルの所定の値は２０とする。なお、この発明の階調レベルの所定の値は上記の値には限定されない。
【００３９】
現在の走査線番号が走査線上縁位置８２４と等しいか、走査線下縁位置８２６と等しく（つまり、走査線が画像の上縁と下縁の一方に配置され）、走査線が偶数フィールドにある（つまり、走査線の番号が偶数である）場合、データは次の二つの状態で処理される。現在のフレームが偶数フィールドにある場合、画像境界処理素子７０３は現在の画像データを２で割り、それを保存して出力する。現在のフレームが奇数フィールドにある場合、画像境界処理素子７０３は偶数フィールドの走査線の事前に保存して割った画像データを出力する。
【００４０】
現在の走査線番号が走査線上縁位置８２４と等しいか、走査線下縁位置８２６と等しく（つまり、現在の走査線が画像の上縁と下縁の一方に配置され）、現在の走査線が奇数フィールドにある（つまり、走査線の番号が奇数である）場合、画像境界処理素子７０３は対応する奇数フィールド上下縁データ７２４を出力する。いわゆる「対応する」は、現在の走査線が画像の上縁にある場合、奇数フィールド上下縁データ７２４の上縁データを出力することを意味する。そして、現在の走査線が画像の下縁にある場合、下縁データを出力する。画像境界処理素子７０３が受け取る画像信号は遅延素子７０１で事前に処理され、上下縁検出素子７０５が受け取る画像信号には遅延がないので、画像上下縁検出素子７０５は対応する奇数フィールド上下縁データ７２４を提供できる。
【００４１】
最後に、現在の走査線番号が走査線上縁位置８２４より大きく、走査線下縁位置８２６より小さい（つまり、現在の走査線が画像の上縁と下縁の間にある）場合、画像境界処理素子７０３は処理なしで現在の画像信号を直接出力する。
【００４２】
インタレース型ＰＤＰを駆動する装置に加えて、この発明はインタレース型ＰＤＰを駆動する方法も同様に含んでいる。図９は、この発明の別の実施例によるインタレース型ＰＤＰの駆動方法の流れ図である。図９の動作は、図７のＰＤＰ駆動装置７００の動作と対応している。図９の動作は、ステップ９０１から始まる。
【００４３】
ステップ９０１において、遅延素子７０１は画像信号７２０を受け取る。それから、ステップ９０２で、偶数フィールドの奇数走査線と奇数フィールドの偶数走査線に、値ゼロの画像データを充填する。さらに、ステップ９０３で、遅延素子７０１が２フィールドだけ画像信号７２０を遅延し、遅延した画像信号７２１を提供する。次に、ステップ９０４で、輝度調整素子７０２が画像信号７２１の階調比率と、人間の目が認識する明るさの比率の間の画像信号の違いを調整する。
【００４４】
それから、ステップ９０５で、走査線決定素子８０１が画像信号７２０を受け取り、各走査線が画像信号を有するかどうかに従って決定信号８２１を提供する。それから、ステップ９０６で、上縁検出素子８０２は、決定信号８２１に従って仮上縁位置８２２を提供する。ステップ９０７では、下縁検出素子８０３は、決定信号８２１に従って仮下縁位置８２３を提供する。
【００４５】
その後、ステップ９０８で、上縁比較素子８０４が奇数フィールドと偶数フィールドで二つの仮上縁位置８２２を各々比較し、より低いものを走査線上縁位置８２４として取り、上縁フィールド位置８２５を提供する。それから、ステップ９０９で、下縁比較素子８０５が、奇数フィールドと偶数フィールドの二つの仮下縁位置８２３を比較し、より高いものを走査線下縁位置８２６として取り、下縁フィールド位置８２７を提供する。
【００４６】
その後、ステップ９１０で、奇数フィールド上下縁記憶素子８０６が、上縁と下縁の位置７２５に従って、奇数フィールド上下縁データ７２４を提供する。
【００４７】
その後、境界処理については、ステップ９１１で、画像境界処理素子７０３が現在の走査線番号をチェックし、異なる状態に従って処理はステップ９１２、９１３、９１７または９１８に進む。
【００４８】
現在の走査線番号が走査線上縁位置８２４より小さいか、走査線下縁位置８２６より大きい場合、画像境界処理素子７０３は、ステップ９１６に入る前にステップ９１２で、所定の階調レベル値を出力する。
【００４９】
現在の走査線番号が走査線上縁位置８２４または走査線下縁位置８２６と等しく、偶数フィールドである場合、処理は現在フレームが偶数フィールドであるかどうかを決定するステップ９１３に進む。偶数フィールドである場合、画像境界処理素子７０３はステップ９１４で、走査線の現在の画像データを２で割り、それを保存して出力する。そうでない場合は、画像境界処理素子７０３は、ステップ９１４で走査線の事前に保存して割った画像データをステップ９１５で出力する。ステップ９１３での決定結果にかかわらず、それから処理はステップ９１６に進む。
【００５０】
現在の走査線番号が走査線上縁位置８２４または走査線下縁位置８２６と等しく、奇数フィールドである場合、画像境界処理素子７０３はステップ９１６に入る前に、ステップ９１７で対応する奇数フィールド上下縁データ７２４を出力する。
【００５１】
現在の走査線番号が走査線上縁位置８２４より大きく、走査線下縁位置８２６より小さい場合、画像境界処理素子７０３はステップ９１６に入る前に処理なしで、ステップ９１８で走査線の現在の画像信号を直接出力する。
【００５２】
最後に、画像処理アナログ制御ループ７０４は、境界処理後の画像信号７２３と画像上下縁位置７２５に従って、ステップ９１６で駆動信号７２６を提供する。
【産業上の利用可能性】
【００５３】
上記の実施例からわかるように、この発明の原理は、画像信号を解析し、画像の上縁と下縁に走査線を配置することである。それから、前記走査線の画像データを２で割り、偶数フィールドと奇数フィールドで二度出力し、画像の上縁と下縁の走査線が偶数フィールドと奇数フィールドの両方で点灯するようにする。その結果、画像の上縁と下縁がパネルの上縁と下縁とは異なる場合でも、インタレース型走査モードによって生じるフリッカを防ぐことができる。
【００５４】
当業者には明らかなように、発明の範囲または精神から逸脱することなく、この発明の構造に様々な修正および変形を行うことができる。以上の観点から、この明細書および実施例は例示的なものとだけ考えられ、発明の真の範囲および精神は添付の請求項およびそれらと等価なものによって示されるものとする。
添付の図面は、発明をさらに理解するために含まれ、この明細書に組み込まれ、その一部を構成する。図面は発明の実施例を示し、説明と共に、発明の原理を説明するために提供される。
【図面の簡単な説明】
【００５５】
【図１】既存のＰＤＰの偶数フィールド信号の信号タイミング図である。
【図２】既存のＰＤＰの奇数フィールド信号の信号タイミング図である。
【図３】既存のＰＤＰの画像の上縁と下縁でのフリッカ現象を示す概略図である。
【図４】この発明の実施例と既存の技術の違いを示す概略図である。
【図５】この発明の一実施例における偶数フィールド信号の信号タイミング図である。
【図６】この発明の一実施例における奇数フィールド信号の信号タイミング図である。
【図７】この発明の一実施におけるインタレース型ＰＤＰを駆動する装置を示すブロック図である。
【図８】この発明の一実施例によるインタレース型ＰＤＰを駆動する装置内の画像上下縁検出素子を示すブロック図である。
【図９】この発明の一実施例によるインタレース型ＰＤＰを駆動する方法の流れ図である。
【符号の説明】
【００５６】
１０１ リセット期間
１０２ アドレス期間
１０３ 維持放電期間
２０２ アドレス期間
３０１ 偶数フィールドの画像
３０２ 奇数フィールドの画像
３０３ 最後の走査線
３０４ 最初の走査線
７００ ＰＤＰ駆動装置
７０１ 遅延素子
７０２ 輝度調整素子
７０３ 画像境界処理素子
７０４ 画像処理アナログ制御ループ
７０５ 画像上下縁検出素子
７０６ データ側駆動部
７０７ 走査側駆動部
７０９ 共通側駆動部
７１９ 走査線
７２０ 画像信号
７２１ 画像信号
７２２ 画像信号
７２３ 画像信号
７２４ 奇数フィールド上下縁データ
７２５ 画像上下縁位置
７２６ 駆動信号
８０１ 走査線決定素子
８０２ 上縁検出素子
８０３ 下縁検出素子
８０４ 上縁比較素子
８０５ 下縁比較素子
８０６ 奇数フィールド上下縁記憶素子
８２１ 決定信号
８２２ 仮上縁位置
８２３ 仮下縁位置
８２４ 走査線上縁位置
８２５ 上縁フィールド位置
８２６ 走査線下縁位置
８２７ 下縁フィールド位置
９０１〜９１８       ステップ
【図１】
0004459897.tif 000002
【図２】
0004459897.tif 000003
【図３】
0004459897.tif 000004
【図４】
0004459897.tif 000005
【図５】
0004459897.tif 000006
【図６】
0004459897.tif 000007
【図７】
0004459897.tif 000008
【図８】
0004459897.tif 000009
【図９】
0004459897.tif 000010